Podtech/llm-jp-corpus-v4-ja_patent huggingface dataset:
(57)【要約】【課題】  対象物であるパチンコ玉、ネジなどの品質変化を抑制して殺菌・洗浄効果に優れ、装置構成が比較的簡便で熱効率が良好な殺菌・洗浄装置を提供することである。【解決手段】  過熱蒸気の投入口６から入る過熱蒸気が、殺菌・洗浄装置１内に充満し、無酸素状態となるとともに、回転式メッシュ部の回転動作により、対象物の全体に満遍なく過熱蒸気が行き渡り、殺菌と汚れ除去を行う。また、微細な窪みにも過熱蒸気は到達をするため、対象物を傷めることなく目的が達せられる。【選択図】  図１
2006159167.tif 000002
【特許請求の範囲】
【請求項１】
過熱室の一端に、殺菌・洗浄を目的とした対象物の、パチンコ玉、コイン、ゴルフボール、ボルト、ナットなどの単品多量となる物品の投入口を、他端にその排出口を、周壁に過熱蒸気の供給口と排出口を設け、この過熱室内に殺菌・洗浄物品を投入口から排出口まで移送するメッシュを配置し、この移送過程において前記供給口から加熱室に導入した過熱蒸気により前記物品を洗浄・殺菌する装置。
【請求項２】
前記加熱室から排出された物品の温度を下げる為の冷却装置として、キルンを配置し、その中に物品より熱を吸収する目的のために、物品の大きさと異なるサイズの粒形状熱吸収材を混入させる装置。
【請求項３】
前記加熱室への過熱蒸気の供給路に循環ファンを接続した蒸気再加熱器を設け、この蒸気再加熱器により前記過熱蒸気を所要の温度にまで上昇させて加熱室に供給し、前記排気口を前記循環ファンに接続してこの排気口から排気される過熱蒸気を循環使用するようにした請求項１、２のいずれかに記載の洗浄・殺菌装置。
【発明の詳細な説明】
【技術分野】
【０００１】  この発明は、パチンコ玉、コイン、ゴルフボール、ネジなど単品で大量に使用される遊具、部品を投入口から排出口まで移送される間に加圧又は常圧の過熱蒸気により、回分及び連続的に殺菌・洗浄を行う装置に関する。
【背景技術】
【０００２】  近年、パチンコ玉、コイン、ゴルフボール、ネジなどの小さな対象物を殺菌・洗浄を行う装置として、不織布などに擦る動作を加え汚れを除去する方法、ブラシなどに接触をさせ汚れを落とす方法などが知られている。【０００３】  この過熱蒸気を用いる方法は、不織布やブラシなどと異なり、過熱蒸気を使用するために殺菌及び脱脂が出来る上、表面を傷つけることなく、品質変化が最小限に抑えられ、又無酸素状態に近く、還元作用があり錆びの防止にもなる。
【発明が解決しようとする課題】
【０００４】  しかし、前記の不織布での拭き取り装置やブラシによる汚れの除去装置は、不織布やブラシの汚れた部分で清浄しようとするもので難点がある。
【０００５】  また、入り組んだ微細な面への清掃がほとんどできていないため、全体的に接触をする工夫が必要であり、殺菌という点では難点がある。
【０００６】  さらに、清浄効果を上げるために、接触する部分を強化させると、キズや品質変化などの観点から好ましくない。
【０００７】  そこで、この発明の課題は、前記の品質変化を最小限に抑制して優れた殺菌・清浄効果を実現でき、装置構成が比較的簡便で熱効率が良好な殺菌・清浄装置を提供していくことである。
【課題を解決するための手段】
【０００８】  上記の課題を解決するために、この発明では以下の構成を採用したのである。
即ち、加熱室の一端にパチンコ玉、ネジなどの投入口を、他端にその排出口を、周壁に過熱蒸気の供給口と排出口を設け、この加熱室内にパチンコ玉、ネジなどを投入口から排出口まで移送するメッシュ部を配置し、この移送過程において前記供給口から加熱室に導入した過熱蒸気により前記パチンコ玉、ネジなどを殺菌・洗浄するようにしたのである。
【０００９】  対象となるパチンコ玉、ネジなどは、ひとつの大きさが小さいため、密集することから、メッシュ部を回転させることにより分散、攪拌をさせ過熱蒸気が通気し易くなり、対象物全体にむらなく行き渡り、殺菌・洗浄が全体に及ぶ。
【００１０】  過熱蒸気を用いることにより、品質の劣化が最小限に抑えられ、また、同一温度における含熱量であるため、対象物であるパチンコ玉、ネジなどとの熱交換による温度低下量が小さく、高い殺菌・洗浄効果が得られる。
【発明を実施するための最良の形態】
【００１１】  以下に、この発明の実施の形態を、添付の図１及び図２に基づいて説明する。【００１２】  図１及び図２に示すように、この発明の実施形態の前途のパチンコ玉、ネジなどの殺菌・洗浄装置１は、断面形状が円形の加熱室２の内部に回転式メッシュ部３が配置され、加熱室２の上側の一方の端部近くにその壁面を貫通して筒状部材で投入口４が形成され加熱室２の下側の他方の端部近くに、テ−パ状の導入部を有する筒状部材で排出口５が形成されている。【００１３】  殺菌・洗浄を行う過熱蒸気は、過熱蒸気投入口６から入り、過熱室２内をくまなく満たし指定した温度を保ち、過熱蒸気排出口７から排出され、過熱蒸気発生装置へと循環される。【００１４】  対象物のパチンコ玉、ネジなどは、殺菌・洗浄後に排出口５を通過し、冷却用キルンに投入される。このキルン内にて加熱された対象物のパチンコ玉、ネジなどは冷却ボール投入口８から投入される冷却されたボールと混連されることにより、触手される温度まで下げられる。【００１５】  温度的に制御された対象物のパチンコ玉、ネジなどは、選別器１０に入り、殺菌・洗浄物回収口１１へと移送される。また、混連され対象物のパチンコ玉、ネジなどの加熱された熱を吸収した冷却ボールは、選別器１０に入り、冷却ボール回収口１２へと移送される。
【発明の効果】
【００１６】  以上のように、この発明によれば、前途の対象物であるパチンコ玉、ネジなどの殺菌・洗浄処理に加圧もしくは常圧の過熱蒸気を用いることにより、酸化などによる品質変化が最小限に抑制され、また、安定した含熱量が多いため、優れた殺菌及び洗浄効果が得られる。
また、メッシュ部は回転式を採用しているため、対象物のパチンコ玉、ネジなどは分散、攪拌がなされながら移送され、過熱蒸気との接触状態が良好となり、殺菌・洗浄効果を高めることができる。
【００１７】  そして、前記過熱蒸気は循環使用するため、熱効率が良好である。
【図面の簡単な説明】
【００１８】
【図１】  この発明の実施形態の縦断正面図
【図２】  同上の縦断側面図
【符号の説明】
【００１９】  １  殺菌・洗浄装置
２  加熱室
３  回転式メッシュ部
４  投入部
５  排出部
６  過熱蒸気投入口
７  過熱蒸気排出口
８  冷却ボール投入口
９  冷却用キルン
１０  選別器
１１  殺菌・洗浄物回収口
１２  冷却ボール回収口
【図１】
2006159167.tif 000003
【図２】
2006159167.tif 000004
(57)【要約】      （修正有）【課題】粘度の高い物質でも、送り出しスクリュウを用いて安定的に排出可能な装置を提供する。【解決手段】送り出しスクリュウ５の上部に撹拌するための撹拌羽根４を配置する事により、送り出しスクリュウに均等に圧力が掛かり、安定した送り出しが可能な装置とした。インバーターモーターを採用することにより、送り出し速度、撹拌速度をコントロールする。【選択図】図１
2006159101.tif 000002
【特許請求の範囲】
【請求項１】
粘度の高い物質を安定して送り出し排出が出来る装置。
【請求項２】
送り出しスクリュウモーター、攪拌羽モーターは、インバーターモーターを採用する事により、任意のスピードで排出出来るようにした。
【発明の詳細な説明】
【技術分野】
【０００１】
本発明は、攪拌スクリュウを取り付ける事により、安定して物質を送る事が出来る装置に関すものである。
【背景技術】
【０００２】
従来、送り出しスクリュウだけでは、粘度の高い物質は、内部で空洞化し安定して排出する事が出来なかった。
【発明の開示】
【発明が解決しようとする課題】
【０００３】
本発明は、上述した従来の問題点を解決しようと、スクリュウの上部に攪拌する為のスクリュウを配置し、送り出しスクリュウに均等に圧力が掛かり、空洞化する事無く安定した送り出しを可能にする為に考案されたものである。
【課題を解決するための手段】
【０００４】
本発明は、従来のホッパーは、粘度の高い場合、内部が空洞化し安定した送り出しが出来なかった。そこで、送り出しスクリュウの上部に攪拌する為のスクリュウを配置する事により、送り出しスクリュウに均等に圧力が掛かるために安定して送り出しが出来るようになった。
【発明の効果】
【０００５】
上述の如く、本発明は、従来のホッパーでは送り出しが粘度の度合いで空洞化し不安定になっていた。攪拌スクリュウを採用する事により安定して送り出しする事が出来る構造になり、他に類を見ない。よつて、本発明の構成は新規であり、その利用による効果は大きい。
【発明を実施するための最良の形態】
【０００６】
発明を実施するための最良の形態を実施例にもとづき図面を参照して説明する。
図１、ホッパー内の物質を攪拌羽４で、図３の矢印の方向に回転させ攪拌しながら１送り出しモーターを回転させる。モーター回転を図２の７モーター連結チェーンで駆動し、インバーターモーターを採用する事により送り出し速度、攪拌速度をコントロール出来る様にする。
【産業上の利用可能性】
【０００７】
本発明は、粘度の高い物質は従来送り出しスクリュウの上で空洞化して安定して送り出しが出来なかったので、攪拌スクリュウを取り付ける事により、安定して送り出しが出来るようにした。
【図面の簡単な説明】
【０００８】
【図１】攪拌ホッパーの平面断面図である。
【図２】攪拌ホッパーの側面図である。
【図３】攪拌ホッパーの側面図である。
【符号の説明】
【０００９】
【００１０】
１  送り出しスクリュウ
２  攪拌用モーター
３  攪拌用モーター
４  攪拌羽根
５  送り出しスクリュウ
６  排出口
７  モーター連結チェーン
【図１】
2006159101.tif 000003
【図２】
2006159101.tif 000004
【図３】
2006159101.tif 000005
(57)【要約】【課題】  混入異物の比重や形状に応じてポンプの交換をすることなく遠心力と滞留時間を任意に設定できるサイクロン濾過装置を提供する。【解決手段】  円筒形の外筒２と内筒３との間に隙間４を有し、この外筒２と内筒３との下部に異物の取り出し口７を有する円錐筒５を形成したサイクロン筒１と、このサイクロン筒１の上部に濾過液流出口６と、ポンプ９によって汚液を前記外筒２と内筒３との間の隙間４に注入する汚液注入口８と、この汚液注入口８の部位に設けられ前記隙間４を旋回する汚液の流速を制御するための絞り弁１０とを備えた。【選択図】        図１
2006159143.tif 000002
【特許請求の範囲】
【請求項１】
円筒形の外筒と内筒との間に隙間を有し、この外筒と内筒との下部に異物の取り出し口を有する円錐筒を形成したサイクロン筒と、このサイクロン筒の上部に濾過液流出口と、ポンプによって汚液を前記外筒と内筒との間の隙間に注入する汚液注入口と、この汚液注入口部に設けられ前記隙間を旋回する汚液の流速を制御するための絞り弁とを備えたことを特徴とするサイクロン濾過装置。
【発明の詳細な説明】
【技術分野】
【０００１】
本発明は、汚液中に混入する異物を遠心分離するサイクロン濾過装置に関するものである。
【背景技術】
【０００２】
液体中の異物を遠心分離して捕集するサイクロン型濾過装置は各種の構造のものが提供されている。この従来のサイクロン型濾過装置は混入異物の重力加速度を変える方法としてポンプの吐出流量を変えることにより液体の旋回速度を変えていた。
【０００３】
このようなポンプの吐出流量を変えることにより液体の旋回速度を変える場合は、混入異物の比重や形状に応じてポンプの交換が必要である問題を有している。
【特許文献１】特開２００１−２０５１３７公報
【特許文献２】特開２００３−０９３９２５公報
【発明の開示】
【発明が解決しようとする課題】
【０００４】
本発明の目的は、混入異物の比重や形状に応じてポンプの交換をすることなく遠心力と滞留時間を任意に設定できるサイクロン濾過装置を提供することである。
【課題を解決するための手段】
【０００５】
上記の目的を達成するための本発明は、円筒形の外筒と内筒との間に隙間を有し、この外筒と内筒との下部に異物の取り出し口を有する円錐筒を形成したサイクロン筒と、このサイクロン筒の上部に濾過液流出口と、ポンプによって汚液を前記外筒と内筒との間の隙間に注入する汚液注入口と、この汚液注入口部に設けられ前記隙間を旋回する汚液の流速を制御するための絞り弁とを備えたことを特徴とするものである。
【発明の効果】
【０００６】
本発明によると、混入異物の比重や形状に応じて汚液注入口部に設けた絞り弁を制御することにより外筒と内筒との間の隙間を旋回する汚液の流速を変化させ、混入異物に対応した重力加速度を任意に得ることができ、異物除去効率を画期的に改善するという効果を有している。
【発明を実施するための最良の形態】
【０００７】
以下本発明を実施するための最良の形態について図面に基づいて説明する。図１において、１はサイクロン筒である。このサイクロン筒１の胴部は、円筒形の外筒２と内筒３との二重構造であり、外筒２と内筒３との間には隙間４を有している。さらに、外筒と内筒との下部に円錐筒５が形成されており、この円錐筒５の下端には異物の取り出し口７を有している。
【０００８】
上記サイクロン筒１の上部には、濾過液流出口６と、ポンプ９によって汚液を前記外筒２と内筒３との間の隙間４に注入する汚液注入口８と、この汚液注入口８の部位には前記隙間を旋回する汚液の流速を制御するための絞り弁１０が設けられている。
【０００９】
本発明は上記の通りの構造であるから、混入異物を含んだ汚液はポンプ９で吸い上げられ、絞り弁１０により制御された汚液は、汚液注入口８より１つ又は複数の流束となって外筒２と内筒３との隙間４に噴射される。前記汚液注入口８より噴射される汚液の流束は、略円形断面あるいは水平、垂直、斜めを含む略楕円形断面である。そして、前記隙間４に噴射された汚液は図２の矢視のように螺旋を描くように旋回しながら外筒２と内筒３の上方から下方へ移動する。
【００１０】
この移動の過程で混入異物１１は遠心力で外筒２側に移動する。この混入異物１１の外筒２側への移動は図３で示すようにサイクロン筒１のａ部〜ｃ部のような状況となる。
【００１１】
このようにして混入異物１１を遠心分離濾過した液体は内筒３の下端まで移動して内筒３の内部に流れ込んで上昇していき濾過液流出口６より排出される。
【００１２】
一方、外筒２側に移動した混入異物１１は円錐筒５の斜面を重力で落下して異物の取り出し口７へ堆積する。
【００１３】
そこで、本発明は、混入異物１１の比重や形状に応じて遠心力と滞留時間を任意に設定する。それには、絞り弁１０を調節することにより隙間４を旋回する液体の流速を変えることにより行われる。
【００１４】
重力加速度は遠心力に比例することから、以下の力を加えて、液体の旋回速度を変える理論を下記の通り説明する。
【００１５】
図２で遠心力はＦ＝α×Ｒ×Ｎ２の計算式で表せる。ここで、Ｆ：遠心力、Ｒ：旋回半径、Ｎ：旋回速度である。
【００１６】
絞り弁１０を調節することにより、任意の旋回速度が設定できるため、自由に遠心力を得ることができる。これは、Ｑ＝Ｖ×Ａの流体の連続の方式による。ここで、Ｑ：時間あたりの流量、Ｖ：流速、Ａ：流体の断面積である。
【００１７】
自由落下する物体の運動方程式はＹ＝ｇ×ｔ２で表せる。ここで、Ｙ：物体の移動距離、ｇ：重力加速度（ここでは遠心力）、ｔ：時間である。
【００１８】
このような理論から本発明は絞り弁１０の調節によって混入異物１１の比重や形状に応じて重力加速度を変えることにより遠心力と滞留時間を任意に設定することができ、ポンプを交換することなく混入異物の分離精度を高め除去効率を向上する利点を有しているものである。
【図面の簡単な説明】
【００１９】
【図１】本発明の断面図
【図２】図１のＤ−Ｄ線断面図
【図３】本発明により混入異物が分離される状況を図式化したものを示す図
【符号の説明】
【００２０】
１    サイクロン筒
２    外筒
３    内筒
４    隙間
５    円錐筒
６    濾過液流出口
７    異物の取り出し口
８    汚液注入口
９    ポンプ
１０    絞り弁
１１    混入異物  
【図１】
2006159143.tif 000003
【図２】
2006159143.tif 000004
【図３】
2006159143.tif 000005
(57)【要約】【課題】従来の冷却帽子は、水分を溜めておく部分の容量が少なく、短時間しか使用する事ができない。【解決手段】水を貯めて置く貯水タンクを、頭頂部の周囲に取り付けることにより、長時間の気化熱による冷却効果が得られる。また、貯水タンクの帽子側の壁面は、凸形で先端部に孔を開けて、この孔から水が染み出して、帽子全体に毛細管現象によって浸透する。また、貯水タンクの大きさを変える事で水を蓄えておくのを調節する。【選択図】図１
2006161254.tif 000002
【特許請求の範囲】
【請求項１】
つば広帽に水分を含ませて強い日差しの中で使い、気化熱によって冷却効果を得ることで頭部を冷やす帽子。
【請求項２】
帽子に水の入った貯水タンクを取り付ける事により、冷却時間を長く継続できる帽子。
【請求項３】
帽子の内側に水を通さない素材を使う事により、頭部が水に濡れず、冷感のみを得ることができる帽子。
【請求項４】
貯水タンクは用途に応じて大きさや形を変えることができる帽子。
【発明の詳細な説明】
【技術分野】
【０００１】  本発明は、つば広帽に水分を含ませて強い日差しの中で使い、気化熱によって冷却効果を得ることで頭部を冷やす帽子。帽子に水の入った貯水タンクを取り付ける事により、冷却時間を長く継続できる。帽子の内側に水を通さない素材を使う事により、頭部が水に濡れず、冷感のみを得ることを特徴とする貯水タンク式冷却帽子。
【背景技術】
【０００２】  従来の冷却帽子は、水分を溜めておく部分の容量が少なく、短時間しか使用する事ができない。【０００３】
【特許文献１】  特開２０００−０７３２２０号公報
【発明の開示】
【発明が解決しようとする課題】
【０００４】  以上に述べた従来の冷却帽子では、水分を溜めておく部分の容量が少なく、短時間しか使用する事ができなかった。【０００５】  本発明は、このような従来の構成が有していた問題を解決しようとするものであり、容量の多い貯水タンクを取り付ける事により、長時間冷却効果の実現を目的とするものである。
【課題を解決するための手段】
【０００６】  そして、本発明は上記目的を達成するために水を貯めておく貯水タンクを、頭頂部の周囲に取り付けることにより、長時間の気化熱による冷却効果が得られる。また、貯水タンクの帽子に接地した側にある凸形の孔から水が染み出して、毛細管現象によって帽子全体に水分が浸透する。
【発明の効果】
【０００７】  上述したように本発明の帽子を使えば、頭が冷えることで、日射病や熱射病の予防をする。また、つば広帽子のつば部分が首の後ろまで覆うので、首筋全体を冷やすので、体感温度を下げる効果が長時間続く。
【発明を実施するための最良の形態】
【０００８】  以下、本発明の実施の形態を図１〜３に基づいて説明する。【０００９】  図においては、１は帽子で、貯水タンク２、貯水タンクの給水口３、貯水タンクの排水孔４、帽子内側の防水シート５。【００１０】  以下、上記構成の動作を説明する。吸入口３より貯水式タンク２に水を入れ、排水孔４より水が徐々に出て帽子１の布に染み出して行き渡り、帽子全体を濡らす。帽子１が太陽光により温められ水が蒸発し気化熱が発生し温度を奪う事により、頭部に冷却効果をもたらす。【００１１】  防水シート５は、濡れた帽子１からの水を通さず、冷やされた空気だけを通すため、頭部を濡らさずに効果を得ることができる。
【図面の簡単な説明】
【００１２】
【図１】  貯水タンク式冷却帽子の外観図
【図２】  貯水タンクの上部から見た断面図
【図３】  貯水タンク式冷却帽子の横から見た断面図
【符号の説明】
【００１３】  １  帽子
２  貯水タンク
３  貯水タンクの給水口
４  貯水タンクの排水孔
５  帽子内側の防水シート
【図１】
2006161254.tif 000003
【図２】
2006161254.tif 000004
【図３】
2006161254.tif 000005
(57)【要約】【課題】  障害者や高齢者が自分で着脱して日差しや少雨を避けることができ、収納時は小さくなり、ファッション性が有り、使用することで、外出することに意欲を持つようになり、又介護者においては両手を使え、収納時は小さくなる雨具及び日除け具を提供すること。【解決手段】  帽子において中央に膨らみを持った布（３）の外周に輪状の針金（４）を取りつけ、さらに紐（５）を取りつける。オーバーオールにおいては布（１２）の一部に輪状の針金（１３）を取りつけ、その輪の内側の一部を首が通るように穴（１４）をあける。【選択図】          図１
2006161256.tif 000002
【特許請求の範囲】
【発明の詳細な説明】
【発明の詳細な説明】
【技術分野】
【０００１】本発明は障害者や介護者が使用する雨具及び日除け具に関する。
【背景技術】
【０００２】  従来のこの種の障害者や介護者が使用する雨具と日除け具には、傘と帽子及びレインコートやポンチョが有った。
【発明の開示】
【発明が解決しようとする課題】
【０００３】  障害者や介護者が雨具及び日除け具として傘と帽子及びレインコートやポンチョを使用するに際し、傘は片手をふさぎ介護者や片麻痺の人には使えない。レインコートやポンチョは、介護者にとって暑い季節の少雨の時は不快であり、片麻痺の人には着脱及び後始末が大変である、又車椅子上で用いるには、一度使用して濡れているモノは水分が他に移る為、再度の使用がし難い、又乾くまで一時収納が困難、即ち、雨の日に外出先で脱いで又着ることが困難である、又日除け用には使えない、又障害者や高齢者が自分で着脱することが困難である、又硬直の有る人には体にまとわりつき、着用できなかった。帽子は雨避け用の鍔広にすると携帯し難かった。【０００４】  本発明は障害者や高齢者が自分で着脱して日差しや少雨を避けることができ、介護者が両手を使え、収納時は小さくなり、ファッション性のある帽子とオーバーオールを使用することで、外出することに意欲を持つようになる事を目的としている。
【課題を解決するための手段】
【０００５】  上記目的を達成するために、本発明の帽子においては中央に膨らみを持った布（３）の外周に輪状の針金（４）を取りつけ、さらに紐（５）を取りつけている。【０００６】  オーバーオールにおいては布（１２）の一部に輪状の針金（１３）を取りつけ、その輪の内側の一部を首が通るように穴（１４）をあけた構造にしてある。
【作用】
【０００７】  帽子においては中央に膨らみを持った布（３）の外周に設けた輪状の針金（４）の弾性により鍔広帽子の形状を保つ、且つ図６のように捻り、さらに図７の如く三つ重ねにでき小さくなる。
【０００８】  ストッパー（６）を上方に上げて紐（５）絞り、さらに図５の如く紐（５）を矢印の方向に引き針金（４）を撓められる。
【０００９】  オーバーオールにおいても帽子と同じ構造であるために輪状の針金（１３）の内側の布（１２）を面状に保ち、且つ三つ重ねにでき、小さくなる。
【発明を実施するための最良の形態】
【実施例】
【００１０】  実施例について説明すると図１は使用例であり、車椅子上で帽子（１）とオーバーオール（２）を着用している。【００１１】  帽子は図面３の如く６個の部品を縫い合わせて作った中央に膨らみを持った布（３）の外周を図４の如くチューブ状にし、その中に輪状の針金（８）をセットし、２本の紐（５）は一端を針金（８）のセット部付近に縫いつけ、２本合わせてストッパー（６）の中を通している。【００１２】  オーバーオールは図８の布（１２）の一部を図１０の如くにチューブ状に縫いその中に輪状の針金（１５）をセットし、輪状の針金（１５）の内側に首の通る穴（１４）をあけ雨具では足カバー部（１８）と肩カバー部（１９）を設けており、日除け具では足カバー部（１８）と扇カバー部（１９）を設けない。
【発明の効果】
【００１３】  本発明は以上説明したように構成されているので以下に記載されるような効果を奏する
【００１４】  帽子においては中央に膨らみを持った布（３）の外周に設けた輪状の針金（４）の弾性によりその形状を保ち、且つ図６のように捻り、さらに図７の如く三つ重ねし、小さくすれば収納、携帯に便利である。
【００１５】  また風にたいしてはストッパー（６）を上方に上げて紐（５）絞り、さらに図５の如く紐（５）を矢印の方向に引き針金（４）を撓めれば強度が増します。
【００１６】  オーバーオールにおいては針金（１３）の内側の布（１２）を面状に保つ。
【００１７】  その為、濡れている面と乾いた面を区別し易く、運搬や一時収納や再度の使用がし易く即ち、雨の日に外出先で脱いで又着ることができる。
【００１８】  又、体と隙間を保てるので日除け用に使って風が通る。
【００１９】  又、一カ所を持って全体を操作し易いので障害者や高齢者が自分で着脱し易い。
【００２０】  又、体と隙間を保てるので雨垂れに打たれる感じがしない。
【００２１】  又、体と隙間を保てるので硬直のある人も拘束されず着用できる。
【００２２】  そしてラインや面ができるので主張ができ、ファッション性を生じる。
【図面の簡単な説明】
【００２３】
【図１】  車椅子上で当該帽子とオーバーオールを使用している図である。
【図２】  帽子の正面図である。
【図３】  帽子の上面図である。
【図４】  図３のＢ−Ｂ拡大断面図である。
【図５】  針金を撓ませた状態の図である。
【図６】  収納の為に針金を捻った説明図である。
【図７】  収納時の形態の説明図である。
【図８】  オーバーオールのＡ矢視図である。
【図９】  オーバーオールの側面図である。
【図１０】  図８のＣ−Ｃ拡大断面図である。
【符号の説明】
１  帽子
２  オーバーオール
３  中央に膨らみを持った布
４  針金
５  紐
６  ストッパー
７  布
８  針金
９  縫い目
１０  収納時形態の針金
１１  使用時形態の針金
１２  布
１３  針金
１４  穴
１５  針金
１６  縫い目
１７  布
１８  足カバー部
１９  肩カバー部
【図１】
2006161256.tif 000003
【図２】
2006161256.tif 000004
【図３】
2006161256.tif 000005
【図４】
2006161256.tif 000006
【図５】
2006161256.tif 000007
【図６】
2006161256.tif 000008
【図７】
2006161256.tif 000009
【図８】
2006161256.tif 000010
【図９】
2006161256.tif 000011
【図１０】
2006161256.tif 000012
【手続補正書】
【提出日】平成17年2月14日(2005.2.14)
【手続補正１】
【補正対象書類名】特許請求の範囲
【補正対象項目名】全文
【補正方法】変更
【補正の内容】
【特許請求の範囲】
【請求項１】
中央に膨らみを持った布（３）の周囲に輪状の針金（８）を取りつけた帽子。
【請求項２】
輪状の針金（８）付近に互いに対称に２本の紐（５）を取り付けた耐風装置。
【請求項３】
布（１２）の一部に輪状の針金（１３）を取りつけ、その輪の内側の一部を首が通るように穴（１４）をあけたオーバーオール。
(57)【要約】【課題】  帽子の使用時に、帽子をピンで留めないで、飛ぶのを防止する、係止具を提供する【解決手段】帽子内側のツバ付け根の部分に、弾性体の紐の両端に着脱自在な係止具を設けたことを、特徴とする帽子の飛び防止係止具。【選択図】  図１
2006161252.tif 000002
【特許請求の範囲】
【請求項１】
帽子内側のツバ付け根の部分に、弾性体の透明紐の両端に着脱自在な係止具を設けたことを、特徴とする帽子の飛び防止係止具。
【発明の詳細な説明】
【技術分野】
【０００１】  本発明は、帽子の使用時に風で帽子が飛ぶのを防止する、帽子に付ける防止係止具に関するものである。
【背景技術】
【０００２】  従来は、帽子をかぶる時は髪にピンで留めて、特に風が強い時は、黒いゴム紐をアゴにかけていた。
【発明の開示】
【発明が解決しようとする課題】
【０００３】  そのために次のような問題点があった。
ピンを用いてとめても完全に固定することは難しく、また帽子の使用時にピンをとめる事で時間を費やしていた。
また、備えついた黒ゴム紐ではアゴの部分にゴムが目立ち、帽子のファッション性が著しく損なわれていた。
本発明は以上の問題点を解決しようとするものである。
【課題を解決するための手段】
【０００４】  帽子のツバ内側の付け根の部分に、弾性体の透明紐の両端に、着脱自在な係止具を設ける。
本発明は以上の構成からなる帽子の飛び防止係止具である。
【発明の効果】
【０００５】  本発明は、帽子をかぶる時、髪にピンを止め作業の煩わしさから開放され、透明紐であるために従来のようにアゴに紐を掛けていることが第三者に分かり難く、帽子のファッション性を損なう事が無い。
【発明を実施するための最良の形態】
【０００６】以下、本発明の実施の形態を説明する。
（イ）弾性体の透明紐本体（１）の両端に、輪状の係止部（３）を設ける。
（ロ）この係止部（３）の一端に紐本体（１）を固定するための固定具（２）を設ける。この固定具（２）は一方に開口部（５）を設けてこの開口部（５）に紐本体（１）を通して閉じる。したがって紐本体（１）が係止部（３）と固着される。
（ハ）ピン（７）のリング通し部（４）に係止部（３）を固定する。したがって紐本体（１）がピン（７）に固定される
（ハ）針（６）を有するピン（７）を、帽子（１０）の内壁に針（６）を挿入して着脱防止金具（８）で止める。
（ニ）着脱は着脱防止金具（８）の止め部分（９）を引く。
本発明は以上の構造になって、次に使い方について説明する。
係止具（Ａ）を帽子（１０）の内側のツバに針（６）を挿入して、着脱防止金具（８）でピン（７）を固着させ、紐本体（１）を装着させ、アゴ（１１）に掛ける。外出時に風が無い場合は、紐本体（１）が必要ないので着脱防止金具（８）を離してピン（７）を離して、係止具本体（Ａ）を帽子から外して出掛けても良い。
紐本体（１）はシリコン材質からなる透明体であるために紐本体（１）が装着している事が、第三者には分かりづらい。
【図面の簡単な説明】
【０００７】
【図１】本発明の斜視図
【図２】本発明の係止部の拡大図
【図３】本発明のピンの分離斜視図
【図４】本発明の係止部の装着図
【図５】本発明の使用説明図
【符号の説明】
【０００８】    １透明紐
２取り付け金具
３リング（係止部）
４リング通し部
５開口部
６針
７ピン
８着脱防止金具
９留め部分
１０帽子のツバ部分
１１アゴ
【図１】
2006161252.tif 000003
【図２】
2006161252.tif 000004
【図３】
2006161252.tif 000005
【図４】
2006161252.tif 000006
【図５】
2006161252.tif 000007
(57)【要約】【課題】  腰部もしくは尻部の周囲に両開きのファスナーを装着したオーバーオール作業服を提供する。【解決手段】  オーバーオール作業服を着用時に、上衣部を脱がずとも容易に排便を可能ならしめるために、腰部もしくは尻部に両開き可能なファスナーを装着する。【選択図】  図１
2006161255.tif 000002
【特許請求の範囲】
【請求項１】
従来のオーバー・オール作業服の腰部もしくは尻部にファスナーを装着することで、オーバー・オール作業服着用時にも上衣部を脱がずに尻を露出させ、簡単に排便できるようにした男女共用のオーバー・オール作業服。
【発明の詳細な説明】
【技術分野】
【０００１】本発明は上下繋ぎの男女共用オーバー・オール作業服に関するものである。
【背景技術】
【０００２】従来、上半身の上衣とズボンが繋がったオーバー・オール作業服があった。
【発明の開示】
【発明が解決しようとする課題】
【０００３】そのオーバー・オール作業服には次のような問題点があった。
（イ）上半身部の上衣と下半身部のズボンが繋がっているので、着用する場合には、先ずズボンを穿いてから上半身部の上衣の袖を通ねばならないが、袖を通すと下着のシャツが背中で捩れ上がる場合が多かった。しかし、背中の部分も腰の部分も開かないために、背中に手を入れて捩れ上がった下着のシャツを引き下げることが難しかった。
（ロ）さらにオーバー・オール作業服を着用中に大便をしようとすれば、上衣を脱がねば尻を露出することがでず、下痢など緊急の場合にトイレに駆け込んでも、簡単に尻を露出することができず、はなはだ不便だった。
（ハ）近年に至って、以前は男性の職域とされていた職場にも女性の進出が目立ち、男性同様に女性がオーバー・オール作業服を着用する機会が多くなったが、これら女性がトイレに入った場合にもオーバオール作業服の上衣を脱がねば用便ができず、寒冷な地域や季節には、はなはだ面倒だった。
本発明はこれらの問題点を解決するためになされたものである。
【課題を解決するための手段】
【０００４】  オーバー・オール作業服の右もしくは左の太股前部から腰背後を通って左もしくは右太股前部にかけて、左右どちらからでも開閉可能なファスナーをつけ、上衣を脱がずとも容易に尻を露出し、下着の手直しや排便も容易にできるようにする。
以上を特徴をとするオーバー・オール作業服。
【発明の効果】
【０００５】  上衣部を脱がずに尻を露出できることで、下痢などの緊急時にも慌てずに排便ができ、更に、オーバーオール作業服着用時や、作業中に背中で捩れ上がった下着のシャツ等も簡単に手直しすることができる。
また、女性でも上衣を脱がずに排便でき、寒冷地な地域や季節に着用する場合には極めて便利で安全である。
【発明を実施するための最良の形態】
【０００６】以下、本発明の実施の形態について説明する。
（イ）オーバー・オール作業服の左もしくは右太股前部（６）から、腰背後を通って左もしくは右太股前部まで、左右両方から開閉可能な腰部ファスナー（４）を装着する。
本発明は以上のような構成で、これを着用する場合は旧来のオーバー・オール作業服と同様であるが、着用後に下着のシャツなどが上方に捩れ上がった場合には、腰部ファスナー（４）を必要な箇所まで引き開けて手を入れ、下着のシャツを適宜引き下げることができる。しかも、着用後に用便を催した場合、簡単に尻を露出することが可能で、寒冷な地域や季節に着用する場合は極めて有用である。
また上衣を脱がずに尻を露出することが容易なので女性が着用するにも便利である。
【実施例１】
【０００７】  図１、図２、図３に示すように、腰部ファスナー（４）の両端は太股前部に位置することで、不用意にファスナーが開く恐れが少なくなり、もし、誤ってファスナーが開いた場合でも容易に気がつき、締め直すことも簡単になる。
また、着用者が蹲踞の姿勢をとっても容易に尻部が大きく開くので、安心して用便が可能になる。
更に、オーバー・オール作業服の腰部に安全ベルトや作業工具を吊り下げたベルトを装着した場合でも、それらを取り外すことをせずに排便可能である。【０００８】  図５、図６に示すように、着用した人間が蹲踞した状態でも、安全に、また楽に排便可能な状態まで尻を露出できるように、尻部を容易に開くことができるならば、ファスナーは、尻を囲むような尻部ファスナー（５）を装着するだけでもよい。
【図面の簡単な説明】
【０００９】
【図１】本発明の正面図
【図２】本発明の側面図
【図３】本発明の背面図
【図４】本発明の他の実施例を示す正面図
【図５】本発明の他の実施例を示す側面図
【図６】本発明の他の実施例を示す背面図
【符号の説明】
【００１０】  １  襟
２  正面ファスナー
３  腰ベルト部
４  腰部ファスナー
５  尻部ファスナー
６  太股前部
【図１】
2006161255.tif 000003
【図２】
2006161255.tif 000004
【図３】
2006161255.tif 000005
【図４】
2006161255.tif 000006
【図５】
2006161255.tif 000007
【図６】
2006161255.tif 000008
(57)【要約】【目的】        本考案は、介護に係わるもので、特に訪問介護に於いて介護利用者のお宅に上がり、介護を行うために各部屋、トイレ、浴室などを出入りする際に、その家の微生物、菌類を持ち出さない、持ち込まないために、介護ヘルパーの靴下の上から本考案の介護用ソックスを履くことにより衛生的であることと、使い捨てで有ることに加えて使用し易くするために、製品は薄手のゴム、ビニール、プラスチィックなどの柔軟な素材を使用する。【構成】      本考案における介護用ソックスは、薄手の医療用ゴム手袋のような材質を使用しているため、延びが良く開口部４から靴下を履くようにして靴下の上から履くが、かかと３、つま先２は介護ヘルパーの足にぴったり合って外部と遮断する。夏季など介護をするときは、素足の上からでも着用できて衛生的になる。【選択図】          図１
2006161251.tif 000002
【特許請求の範囲】
【請求項１】
本考案は、介護に係わるもので、特に訪問介護に於いて介護利用者のお宅に上がり、介護を行うために各部屋、トイレ、浴室などを出入りする際にその家の微生物、菌類を持ち出さない、持ち込まないために、介護ヘルパーの靴下の上から本考案の介護用ソックスを履くことにより、これ等の問題を解消する事が出来る事と、介護用ソックスが水に濡れても足底を拭くだけで介護ヘルパーの足は濡れず、部屋に出入り可能であり、使い捨てなので衛生的であり、製品は薄手のゴム、ビニール、プラスチィックなどの柔軟な素材を使用した介護用ソックス。
【発明の詳細な説明】
【発明の詳細な説明】
【産業上の利用分野】
【０００１】      本考案は、介護用に係わる物で仕事の能率、便利さ、衛生面を追求するものである。
【背景技術】
【０００２】      従来、介護はお宅に上がるときはスリッパで廊下に上がり、次に部屋に入るとスリッパを脱ぎ、再度出るときはスリッパを履き、浴室ではスリッパから浴用履き物に変えるというのが常であったが、訪問先のスリッパ、訪問先の浴用履き物、訪問先の部屋や廊下の床と自分の靴下が気になっていた。
【発明が解決しようとする課題】
【０００３】      衛生面において介護の利用者側も、介護者側であるホームヘルパーも床を気にしないで仕事が出来るものはないのか。ヘルパーさんによっては訪問先を出るときに靴下を取り替え、数軒まわるときにはその数だけ靴下を持って行き、履き替える不便さに加えて、足が濡れたときなどは特に微生物や菌類が気になることがあるという。このように従来のやり方ではますます時間の無駄、不便であった。
【０００４】      従来、訪問先では自分の靴下だけでは介護利用者のお宅に上がるのに躊躇する事も多々あった。仕事の後、自分の靴に足を入れるのは、幾らかの見えない菌もそのまま自分の家に持ち帰ることになり非衛生的に感じていた。
【０００５】      つまり、利用者のベットの周りや周辺の部屋は必ずしも清潔ではないので、介護で清潔にしている過程でも自分の靴下が気になっていた。
【０００６】        従来の難点を思いっきり発想をかえて訪問先で、職場で、使用出来るようなものはないのか、仕事中衛生面で心配のない介護はないのか。足底を気にしないですむもの、これを提供しようというものである。
【課題を解決するための手段】
【０００７】      上記目的を達成するために、本考案における介護用ソックスは、自分の靴下の上から使用することが出来るものである。つまり、使用の際に介護ヘルパー自身の靴下の上から介護用ソックスを履いて、お宅に上がり生活介護、身体介護をするのである。
【作用】
【０００８】      介護施設や訪問先においての介護を行う場合に、本考案の介護用ソックスを使用する事により、介護中は床を気にしないで仕事が出来るのである。
【０００９】      つまり、スリッパの履き替え、浴用の履き物に替える不便さに加えて訪問先の床を気にしないで仕事が出来るのである。
【００１０】      使用後は毎回使い捨てなので衛生的で安心である。
【００１１】    本考案の介護用ソックスは特に浴室などにおいて効果を発するが、水分が介護者の足底から靴下に浸透したり、濡れたスリッパなどを履かなくて済むので快適な介護が可能となる。
【実施例】
【００１２】      実施例について図面を参照して説明する。
本考案における介護用ソックスは、薄手の医療用ゴム手袋のような材質を使用しているため、延びが良く開口部４から靴下を履くようにして靴下の上から履く。かかと３、つま先２は介護ヘルパーの足にぴったり合って外部と遮断する。夏季など介護をするときは、素足の上からでも着用できて衛生的になる。【００１３】      つまり、介護用ソックスをつけたまま台所、トイレ、浴室というように裸足と同じ感覚で使用できる。【００１４】      更に、使い捨てだから不安な気にならないのである。【００１５】    介護用ゴム手袋や医療用ゴム手袋のように薄いゴム、ビニールなどを使用するので感覚は付けた感じがしないで使用出来るのである。
【発明の効果】
【００１６】      本発明は、以上説明したように構成されているので、以下に記載されるような効果を奏する。
【００１７】      請求項１の介護用ソックスの利用によって、介護ヘルパーが持ち込む可能性のある微生物や菌類を部屋の中に持ち込まない、又、反対に介護利用者宅の微生物や菌類を外部に散らさないと言う利点がある。更に、浴室と部屋の往復に毎度毎度履き物を替える時間の無駄、不便さが解消される。
【図面の簡単な説明】
【図１】  介護用ソックスの使用中の斜面図である。
【図２】  介護用ソックスの正面図と側面図である。
【図３】  介護用ソックスの平面図である。
【図４】  開口部が低い介護用ソックスの斜面図である。
【符号の説明】
１  介護用ソックスの本体
２  つま先
３  かかと
４  開口部
【図１】
2006161251.tif 000003
【図２】
2006161251.tif 000004
【図３】
2006161251.tif 000005
【図４】
2006161251.tif 000006
(57)【要約】【課題】従来、養生材又はプラスティックダンボールを連結する際には、粘着テープを利用して連結するため、養生材が、ずれたり、使用後には利用された粘着テープがごみとして廃棄されていた。  【解決の手段】連結装置凹部に養生材を連結することにより着脱可能となり、連結装置上部より先に連結装置下部の方から荷重がかかるため、ずれることや作業中に外れることが発生しない。使用後には利用された粘着テープがごみとして廃棄せず再利用が可能である。【特許請求の範囲】
【請求項１】
凹部を用いた本体に養生材又はプラスティックダンボールなどを接続することができる連結用装置。
【発明の詳細な説明】
【技術分野】
【０００１】
本発明は、養生材又はプラスティックダンボールなどの接続を図った連結装置に関する。
【背景技術】
【０００２】
本発明は、ごみなどが廃棄されず養生材又はプラスティックダンボールを連結してもずれたりすることがないことを実現することができる。
【特許文献１】特開２００４−２１８３９５号公報
【発明の開示】
【発明が解決しようとする課題】
【０００３】
従来、養生材又はプラスティックダンボールを連結する際には、粘着テープを利用して連結するため、ずれたり、使用後には利用された粘着テープがごみとして廃棄されていて、効率の悪いものであった。
【０００４】
本発明は、ごみなどが廃棄されず養生材又はプラスティックダンボールを連結してもずれたりすることがないことを実現することを目的とするものである。
【課題を解決するための手段】
【０００５】
そして、本発明では、上記目的を達成するために、養生材又はプラスティックダンボールの先端に養生材連結装置を設置し、養生材が連結され、且つ再利用できるものである。
【発明の効果】
【０００６】
上述したように本発明の養生材連結装置は、天候を問わず養生材同士を連結するとともに、利用後に廃棄物がでず、再利用が可能と環境にも効果のあるものである。
【発明を実施するための最良の形態】
【０００７】
2枚の養生材を、連結装置凹部に挟み連結させる。
【実施例】
【０００８】
図３のように連結された養生材（１）と（１a）の上を移動する台車（４）の車輪が連結装置下部（３）に荷重がかけられ連結装置及び養生材がずれることなく移動することができる。
【図面の簡単な説明】
【０００９】
【図１】養生材と連結装置を連結した斜視図である。
【図２】養生材と連結装置を連結した側面図である。
【図３】連結装置の実施方法を示した説明図である。（実施例）
【符号の説明】
【００１０】
１  養生材
1a  養生材
２  連結装置上部
３  連結装置下部
４  台車の車輪
【図１】
2006161269.tif 000002
【図２】
2006161269.tif 000003
【図３】
2006161269.tif 000004
(57)【要約】【課題】  パネル型トラック、輸送用コンテナー等の観音開き型用の開閉ハンドル固定装置において、施錠、開錠後のハンドル操作が容易に簡単に確実に行えるハンドル固定装置を提供する。【解決の手段】  ハンドル固定用凹部に、施錠装置を設け、施錠装置がハンドル固定を兼ねる事で、容易にハンドル操作が可能になる。【選択図】    図２
2006161299.tif 000002
【特許請求の範囲】
【請求項１】
パネル型トラック、輸送用コンテナー等の荷台側扉開閉装置において、ハンドル固定金具凹溝上部に施錠用の突起物を設ける事で、開錠後のハンドル操作が容易に行える開閉用ハンドル固定装置。
【発明の詳細な説明】
【技術分野】
【０００１】
本発明は、パネル型トラック、輸送用コンテナー等の扉開閉に用いられる扉開閉ハンドル固定装置に関する。
【背景技術】
【０００２】
パネル型トラックや、輸送用コンテナー等においての扉開閉は観音開きが一般的であり、その開閉の際は開錠後にロックブラケットを回転させるか、解除用ハンドルを操作する方法が一般的である。
【特許文献１】実開昭６０−１０８６５６号公報
【特許文献２】特開２００２−２２７４９４号公報
【発明の開示】
【発明が解決しようとする課題】
【０００３】
前記従来のように、ハンドル操作の前に開錠し、ロックブラケット、解除用ハンドルの操作後に開閉ハンドルを操作することは、３つ以上の複合動作となり、また、それらに用いられる金具も構造自体が複雑となり、寒冷地においては凍結の問題、部品磨耗、劣化による動作不備がある。
【課題を解決するための手段】
【０００４】
本発明は、この点について悦意工夫を重ねた結果、発明を完成したものであり、施錠部とハンドル固定部を組み込み一体化する事により、開錠後には、開閉ハンドルのみの動作で開閉が可能となりました。
【発明の効果】
【０００５】
上述のように、本発明は扉開閉の際はハンドル操作だけで、付帯する施錠、開錠の部品を固定金具を一体化とした為に、構造が簡単であり、大幅なコスト削減や故障が少なく、開閉に従事する作業者の負担軽減など、従来の扉開閉ハンドルの固定装置と比較した場合は卓越した作用効果があります。
【発明を実施するための最良の形態】
【０００６】
添付図面により本発明の実施の形態を説明すると、図１はトラック荷台後部のハンドル固定装置Aの取り付けを示す実施例図であり、図２は固定装置Aの詳細図を示す、図３はハンドル（１）、受け金具（２）、施錠装置（３）の動作を示す実施例図となる。
【実施例】
【０００７】
図１に示すように、本発明の開閉用ハンドル固定装置Aは、トラック荷台後方の扉開閉のハンドル固定装置であり、図２に示すようにハンドル（１）と、受け金具（２）、施錠装置（３）によって構成される。
【０００８】
ハンドル（１）は、図に示されるように受け金具（２）の凹部に入る、出る事によって、固定や開閉が可能となる。従来はここにハンドルを固定する為に、ロックブラケットや解除用のハンドル等がつきますが、本発明では、それらを無くし、施錠装置（３）の作動によりハンドルを固定する。
【０００９】
これらの動作について、図３により説明すると、（イ）図は施錠装置（３）が、施錠状態に有り、ハンドル（１）は固定された状態を示す。
（ロ）図は、施錠装置（３）が開錠状態に有り、ハンドル（１）は、矢印（４）の方向に開放状態となり、扉の開閉動作が可能となります。
【００１０】
本発明の扉開閉用ハンドル固定装置（A）は、トラック荷台の扉開閉に限らずに、輸送用コンテナー、施錠を必要とされる大型冷凍庫、冷蔵庫等の扉開閉にも利用が可能な
為利用度合いは高く、構造が簡単で、確実性がある為利用の可能性は高い。
【図面の簡単な説明】
【００１１】
【図１】本発明の説明図
【図２】拡大詳細図
【図３】概略の構造図
【符号の説明】
【００１２】
１  ハンドル
２  受け金具
３  施錠装置
４  ハンドルの動作方向
【図１】
2006161299.tif 000003
【図２】
2006161299.tif 000004
【図３】
2006161299.tif 000005
(57)【要約】      （修正有）【課題】やきいもを営業する者は車の運転できるものに限らずだれでもでき、やきいもだけでなく、その季節の物、とうもろこしや魚など焼いて食べられ、生産地などに焼き場所を簡単に準備できるやきいも装置移動小屋を提供する。【解決手段】フォークリフトようのパレットにやきいも装置を固定し、そのパレットに小屋を装備したものを需要のある所に設置する。【選択図】図２
2006161530.tif 000002
【特許請求の範囲】
【請求項１】
フォークリフト用のパレットにやきいも装置を固定し、そのパレットに外壁や、屋根を備えた小屋を装備した物。
【発明の詳細な説明】
【技術分野】
【０００１】  本発明は、フォークリフト用パレットにやきいも装置と小屋を一体にし、移動が容易にできるようにしたものである。
【背景技術】
【０００２】  従来からやきいも装置が使用されているが、例として、特許文献１や、それらを車に載せて移動いているものがある。
【特許文献１】        特開平８−３２７０６６広報
【発明の開示】
【発明が解決しようとする課題】
【０００３】  従来のような装置では、建物の中に置くか、それを移動できるものとして、車に装置するため、一台の装置に一台の車が必要であり、車の運転できる人に営業が限られていた。
【課題を解決するための手段】
【０００４】  この課題を解決するため、フォークリフト用のパレットにやきいも装置と野外用の外壁、屋根を装置することで、移動や設置場所が駐車場や広場、道路のふち、建物の軒下などに置くことができる。【０００５】  本発明により、やきいもを営業する物は車の運転できるものに限らずだれでもできる。
【発明の効果】
【０００６】  本発明により、やきいもだけでなく、その季節の物、とうもろこしや魚など焼いて食べられる。生産地などに焼き場所を簡単に準備できる。
【発明を実施するための最良の形態】
【０００７】  図１は、フォークリフト用のパレット上にやきいも用の炉を固定した図である。フォークリフトを利用することを前提にしているため、安全と安定のため炉の構造を重量物にできる。【０００８】  図２は、フォークリフト用のパレットにやきいも装置と小屋を装備した図です。
外壁や屋根を野外用にすることで、長期の設置や火災などでの安全上、店舗外におくことができる。【０００９】  小屋の形態や屋根の形は、このみにより三角や丸屋にしてもよい。
【産業上の利用可能性】
【００１０】  本発明に係るやきいも小屋は、量産する事が可能であるため、産業上の利用可能性を有する。
【図面の簡単な説明】
【００１１】
【図１】    パレット上にやきいも装置の炉を固定した図
【図２】    やきいも装置を固定したパレットに小屋を装備した図
【符号の説明】
【００１２】１、        パレット上のやきいも装置の炉
２、        フォークリフト用のパレット
３、        パレットに装備した小屋
【図１】
2006161530.tif 000003
【図２】
2006161530.tif 000004